(57)【要約】【課題】  磁気の作用を視覚的に把握することを可能にし、以て磁気治療器等の磁気製品の信頼性を高め、この種製品に対する購買意欲をそそることができる磁気検出器を提供することを課題とする。【解決手段】  内部仕切り２によって内部空間が上下に仕切られたプラスチック製の容器１であって、上部空間３内に永久磁石５又は帯磁性物体が自由運動可能に収納され、少なくとも上部空間３が外部から透視可能にされている。前記永久磁石５は表裏で色分けされることがあり、また、容器１の下面縁につば部６が形成されることがある。【選択図】図１
0003109122.tif 000002
【実用新案登録請求の範囲】
【請求項１】
内部仕切りによって内部空間が上下に仕切られたプラスチック製の容器であって、その上部空間内に永久磁石が自由運動可能に収納され、少なくとも前記上部空間が外部から透視可能にされていることを特徴とする磁気検出器。
【請求項２】
内部仕切りによって内部空間が上下に仕切られたプラスチック製の容器であって、その上部空間内に永久磁石が自由運動可能に収納され、少なくとも前記上部空間が外部から透視可能にされ、前記永久磁石の少なくとも片面が着色されていることを特徴とする磁気検出器。
【請求項３】
内部仕切りによって内部空間が上下に仕切られたプラスチック製の容器であって、その上部空間内に永久磁石が自由運動可能に収納され、少なくとも前記上部空間が外部から透視可能にされ、前記容器の下面縁につば部が形成されていることを特徴とする磁気検出器。
【請求項４】
前記永久磁石の代わりに帯磁性物体を用いた請求項１乃至３のいずれかに記載の磁気検出器。
【考案の詳細な説明】
【技術分野】
【０００１】
本発明は、磁気検出器、より詳細には、主に磁気治療器等の販売等に際し、消費者に、当該製品において磁気がどのように作用しているかを視覚を通して確認させるために用いる磁気検出器に関するものである。
【背景技術】
【０００２】
肩凝りや腰の痛みや筋肉痛等を治療するために磁気治療器が用いられるが、この磁気治療器を広告宣伝するに際しては、新聞や雑誌等において、身体各部のつぼを図示するとともに、磁気治療器をつぼに貼着することにより磁気がつぼに作用して、血行を良くし、筋肉の凝りをほぐす等といった説明が付加される程度のものが多く、また、消費者に対して直接商品紹介をするに際してもそのような説明をすることになるが、磁気というものが目に見えないものであるだけに、実際問題として磁気がどのように作用しているのかを消費者に十分納得させることが難しいという問題がある。
【特許文献１】実公平５−１５３２３号公報
【考案の開示】
【考案が解決しようとする課題】
【０００３】
本発明はかかる問題を解決するためになされたもので、磁気の作用を視覚的に把握することを可能にし、以て磁気治療器等の磁気製品の信頼性を高め、この種製品に対する購買意欲をそそることができる磁気検出器を提供することを課題とする。
【課題を解決するための手段】
【０００４】
上記課題を解決するために、請求項１に係る考案は、内部仕切りによって内部空間が上下に仕切られたプラスチック製の容器であって、その上部空間内に永久磁石が自由運動可能に収納され、少なくとも前記上部空間が外部から透視可能にされていることを特徴とする磁気検出器を提唱する。
【０００５】
前記永久磁石の両面が色分けされることがあり、また、前記容器の下面縁につば部が形成されることがあり、また、前記永久磁石の代わりに帯磁性物体を用いることもある。
【考案の効果】
【０００６】
本考案に係る磁気検出器は上記構成であるため、簡単な構成で磁気治療器等の磁気製品における磁気の作用を視覚的に確認することが可能であり、以て当該磁気製品の信頼性を向上させてその購買意欲をそそる効果がある。
【考案を実施するための最良の形態】
【０００７】
本考案を実施するための最良の形態について、添付図面に依拠して説明する。図１はその一実施例を示す斜視図、図２はその中央縦断面図、図３は永久磁石の運動を示すイメージ図である。
【０００８】
透視容器１は、内部に仕切り２を配して上部空間３と下部空間４とを設けた筒状のプラスチック容器で、少なくとも上部空間３は外部から透視可能にされる。そして、上部空間３内に、比較的小さな永久磁石５が収納される。また、好ましくは、透視容器１の下面に、外方に張出すつば部６が形成される。更に好ましくは、永久磁石５の少なくとも片面が着色され、あるいは、両面が色分けされ、表裏において極性が異なることを表示する。例えば、永久磁石５のＮ極面が赤色に着色され、Ｓ極面が青色に着色される。
【０００９】
透視容器１の下面の周縁につば部６を形成することとしたのは、１つには使用時に磁気治療器等の上を滑りやすくするためであり、１つには商品としてのデザイン性を高めるためである。
【００１０】
また、仕切り２を設けて内部空間を上下に分け、上部空間３内に永久磁石５を収納することとしたのは、永久磁石５を常に下面から一定の高さ（例えば、３ｃｍ）に位置させることで、磁界による運動をより分かりやすくするためである。即ち、このような構成の場合には、永久磁石５と磁気製品７との間隔を常に一定に保ったまま移動させることができるため、磁気製品７の各部における磁力の程度の比較確認が容易となり、また、磁力線が高く飛んでいることを理解することができる。永久磁石５と磁気製品７が近過ぎると、磁気製品７における磁力が弱い場合であっても永久磁石５が敏感に反応するため、磁力の強弱の区別がしにくく、また、磁力線が高く飛んでいることを理解することができない。
【００１１】
次に本考案の作用を説明する。透視容器１の下面を磁気製品７の上を滑らせるようにして動かすと、磁気製品７における磁界内に入ることにより永久磁石５は、その磁極に応じて吸引されたり反発されたりする。従って、図３（ａ）→（ｂ）→（ｃ）の流れイメージ図に示されるように、永久磁石５は、上部空間３内において跳んだりはねたりの自由運動をしてはずみ、その壁面に当たって音をたてる。永久磁石５が跳んだりはねたりしている間にも、透視容器１を動かし続けることで磁界が変動するため、その運動は振動運動になり、その運動は、磁力が強い場所程激しいものとなる。
【００１２】
透視容器１には本発明の精神を逸脱しない範囲で適当な彩色、模様、文字等を施してもよい。なお、透視容器１とつば部６は必ずしも一体成形する必要はなく、別部品として成形して後に一体化してもよく、また、つば部６と透視容器１本体とを色分けしてもよい。
【００１３】
また、本実施例では永久磁石５を用いた場合についてのみ説明したが、その代わりに鉄片等の帯磁性物体を使用してもよいことは勿論である。更に、本実施例では永久磁石５の比較的小さなものを使用した場合についてのみ説明しているが、大きさ、形状は合目的的に任意のものとすることができ、透視容器１の上部空間３内に収まり、且つ、磁界の作用により視覚的に認識することができるように運動し得るものであればよいことは勿論である。
【００１４】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００１５】
【図１】本考案に係る磁気検出器の一実施例を示す斜視図である。
【図２】図１に示す磁気検出器の中央縦断面図である。
【図３】本考案に係る磁気検出器の永久磁石の運動を示すイメージ図である。
【符号の説明】
【００１６】
１    透視容器
２    仕切り
３    上部空間
４    下部空間
５    永久磁石
６    つば部
７    磁気製品
【図１】
0003109122.tif 000003
【図２】
0003109122.tif 000004
【図３】
0003109122.tif 000005